(57)【要約】 【課題】 反射板に対する蛍光管の配置が適切に設定されていなかったため、蛍光管から出力される光量にロスが生じる点。 【解決手段】  少なくとも２本の蛍光管１，１を該蛍光管１，１の軸方向から見た状態でＶ字状に配置すると共に、反射板Ｒの側面を、蛍光管１，１の軸方向から見た状態で円弧状とした。【効果】  反射板Ｒの側面視形状に拘わらず、Ｖ字状の谷部分における蛍光管１，１間の光量のロスが生じないから、つまり蛍光管１，１の光はＶ字状の谷部分で集光されると共に、蛍光管１，１の裏面側では反射板Ｒによって正反射することなく、つまり蛍光管１，２に反射した光が阻害されることがなくなるから、表面側ではより明るくなる。【選択図】        図１
2005056750.tif 000002
【特許請求の範囲】
【請求項１】
蛍光管と反射板とでなる照明装置であって、少なくとも２本の蛍光管を該蛍光管の軸方向から見た状態でＶ字状に配置すると共に、反射板の側面を、蛍光管の軸方向から見た状態で円弧状とすることを特徴とする照明装置。
【請求項２】
複数の管を軸方向に平行に配置し、これら複数の管の一部を接続して１本の蛍光管としことを特徴とする請求項１記載の照明装置。
【請求項３】
蛍光管の電気的な接続を行うソケット部を半円柱状に形成し、このソケット部と電源供給ソケットとを接続するための接続体をリング状に形成して、この接続体に前記ソケット部を係合させるように構成したことを特徴とする請求項１又は２に記載の照明装置。
【発明の詳細な説明】
【技術分野】
【０００１】
本発明は、蛍光管の光量のロスを生じることなく効率良く蛍光管の光を照射でき、従ってエネルギーの消費を抑制することができる照明装置に関するものである。
【背景技術】
【０００２】
蛍光管における取付面側に反射板を配置して、蛍光管の光を反射板によって反射させる照明器具が知られている。この種の照明器具において、少なくとも２本の蛍光灯を水平に配置した場合、反射板側（以下、裏面側という）に照射される光は反射板で反射しても蛍光管によって遮られて反射板と反対側（以下、表面側という）に照射されないため、光量のロスが生じる。
【０００３】
ちなみに水平配置した蛍光管に対して例えば側面視（蛍光管の軸方向から見た状態）半円状の反射板を設けた場合は、表面側において１０％の光量のロスが生じることが判っている。また、例えば平面状の反射板を設けた場合は、表面側において２５％の光量のロスが生じることが判っている。
【０００４】
ところで、従来では、複数の蛍光管を側面視Ｖ字状に稼働する以下の特許文献１が開示されている。
【特許文献１】特開２０００−２６０２１１号公報
【０００５】
特許文献１には、その図１及び図２に、演出用照明装置としてのボーダーライト又はホリゾンライトにおいて、直管の蛍光灯を３本水平に配置したホルダーを側面視左右に対をなして設けると共に、互いのホルダーが隣接する側を中心に回動する構成とされている。従って、ホルダーを回動させることで相互のホルダーの隣接する側の角度を変更して側面視Ｖ字状に蛍光灯を配置することができる。
【０００６】
しかしながら、上記した特許文献１は、確かに蛍光管の配置が側面視Ｖ字状となっているが、反射板に対する直管の３本の蛍光管の配置は水平配置とされるため、依然として蛍光管が邪魔になって蛍光管の裏面側に照射され、反射板で反射した光が表面側に照射されなず光量のロスが生じる。
【発明の開示】
【発明が解決しようとする課題】
【０００７】
解決しようとする問題点は、反射板に対する蛍光管の配置が適切に設定されていなかったため、蛍光管から出力される光量にロスが生じる点である。
【課題を解決するための手段】
【０００８】
本発明は、蛍光管と反射板とでなる照明装置であって、少なくとも２本の蛍光管を該蛍光管の軸方向から見た状態でＶ字状に配置すると共に、反射板の側面を蛍光管の軸方向から見た状態で円弧状とすることを最も主要な特徴とする。
【発明の効果】
【０００９】
従来のように複数の蛍光管を水平配置すると、各々の蛍光管の光が拡散されるので広範囲で均一的な照度を得ることができるが、それ以上の明るさとはならない。それに対して本発明のように少なくとも２本の蛍光管を蛍光管の軸方向から見た状態でＶ字状にすれば、Ｖ字状の谷部分における蛍光管間の光量のロスが生じないから、つまり複数の蛍光管の光はＶ字状の谷部分で集光されるから、表面側ではより明るくなると共に、この蛍光管の裏面側での光は、円弧状とされた反射板で正反射することなく反射するから、つまり反射板で反射した光が蛍光管で阻害されることなく表面側に照射されるから光量のロスを生じることなく照射が可能となる。また、蛍光管の配置をＶ字状として反射板を円弧状とすることで蛍光管から発生する熱を速やかに放熱することが可能となる。なお、広範囲に亘って照射させるならばＶ字状の角度を調整すればよい。
【発明を実施するための最良の形態】
【００１０】
本発明の照明装置は、蛍光管と反射板とでなる照明装置であって、少なくとも２本の蛍光管を該蛍光管の軸方向から見た状態でＶ字状に配置すると共に、反射板の側面を蛍光管の軸方向から見た状態で円弧状とするものである。この構成によれば、本発明の照明装置は、例えば、Ｖ字状の角度を９０°とすると共にＶ字状の各々の側に２本ずつ全体で計４本の蛍光管を用い、開放側を照射する方向に向けて使用する。
【００１１】
このようにすることで、片側２本の蛍光管の光は、Ｖ字状の谷部で集光されて該Ｖ字状の開放側へ照射されることとなり、水平配置した蛍光管４本の場合と較べて、照明装置の直下においては２０％明るくなる。
【００１２】
また、反射板の側面を、蛍光管の軸方向から見た状態で半円形とすることで、Ｖ字状に配置した蛍光管の裏面側に照射される光が、効率良く反射板で反射され、しかも正反射することなく、つまり蛍光管に邪魔されることなく反射板から表面側に導かれるので、水平配置した蛍光管４本の裏面側に半円形の反射板を設けた場合と較べて、照明装置の直下においては４０％、上記した本発明の構成と較べては２０％明るくなる。
【００１３】
さらに、上記した本発明の構成において、複数の管を軸方向に平行に配置し、これら複数の管の一部を接続して一本の蛍光管を構成することで、蛍光管は例えば上記の場合は計４本使用する存在するように見えても実際は２本の蛍光管とすることができるから、エネルギーの消費を抑制することができる。
【００１４】
上記した本発明の照明装置は、実際に使用する際に、電源供給を受けるべくソケットに接続される。このとき、蛍光管の電気的な接続を行うソケット部を半円柱状に形成し、このソケット部と電源供給ソケットとを接続するための接続体をリング状に形成して、この接続体にソケット部を係合させるようにすれば、既存のソケットに接続が可能となると共にＶ字状の山部を付き合わせて２つの本発明の照明装置をＸ字状にして使用することが可能となる。
【実施例】
【００１５】
以下、本発明について図面を参照して説明する。図１は、本発明の照明装置を示す。図２は、本発明の照明装置の蛍光管ユニットを示す。図３は、本発明の照明装置における接続体を示す。図４は、本発明の照明装置における蛍光管ユニットと接続体の接続状況を示す。図５は、反射板の変形例を示す。図６は使用変形例を示す。
【００１６】
本実施例では例えば室内で使用する天井灯として本発明の照明装置を採用した場合について説明する。そのとき、反射板Ｒは、天井にその円弧の中央部から両端までが埋め込まれた状態で設けられる。
【００１７】
本実施例で使用する蛍光管１は、図面上では側面視Ｖ字状に配置された片側に４本、計８本存在するように見えるが、このＶ字状の片側につき、１本の管１ａの上端部を接続してＵ字状とし、換言すれば１本の管１ａをＵ字状に曲げて２本存在するようにし、かつこの管１ａの上端部又は下端部（本実施例では下端部）を接続部１ｂにおいて中空状態で接続し、充填ガスが流通するように４本の管１ａの内部を１つの中空空間としている。従って、本実施例で使用する蛍光管１は、Ｖ字状の片側で１本、計２本となる。
【００１８】
この構成による効果としては、複数の蛍光管を用いる必要がないため電力消費を抑制することができることと、電気的接続を簡易な構成にすることができると共に、複数の蛍光管を用いた状態と同等の光量を得ることができる点にある。
【００１９】
蛍光管１，１は、蛍光管ユニット２によって保持される。蛍光管ユニット２は、図１に示すように管１ａの軸方向から見て（側面視）本実施例では例えば９０°のＶ字状としている。この蛍光管ユニット２に、上記蛍光管１，１のそれぞれをＶ字状の片側ずつ配置している。この蛍光管ユニット２の保持部２ａに蛍光管１，１が保持されることで、本発明の照明装置としての蛍光管は側面視Ｖ字状とされた１つの構成要素となる。
【００２０】
従って、蛍光管１，１の光は、Ｖ字状の谷部に集光されるから、表面側に照射される光は複数の蛍光管を水平配置したときに較べて明るくなる。本実施例では、蛍光管１，１を２本用いるだけで、蛍光管を４本水平配置したときよりも表面側では明るくなるから、消費電力を抑制することができるのである。
【００２１】
さらに、蛍光管ユニット２は、蛍光管１，１を保持した側とは反対側でＶ字状の山部の位置に、該Ｖ字状の山部が直線状とされると共にＶ字状の谷部側が半円柱状とされたソケット部２ｂが形成されている。
【００２２】
ソケット部２ｂは、蛍光管１，１を保持した側とは反対の端部において円弧の両端部と、半円柱状の軸方向途中部位における円弧の中央部とには係合凸部２ｃが形成されている。これら係合凸部２ｃは、後述する接続体３の溝部３ａに嵌って係合する。
【００２３】
蛍光管ユニット２のソケット部２ｂを室内に配線された所定の電源供給用のソケット（図示無）に取り付けるには、本実施例では特に図３に示す接続体３を用いて接続する。接続体３は、電源供給用のソケットに対して予め取り付けてある状態でもよいし、蛍光管ユニット２を電源供給用のソケットに取り付ける際に蛍光管ユニット２と共に取り付けるようにしてもよい。
【００２４】
なお、本実施例では電源供給用のソケットとしては、既存の引っ掛けて接続するいわゆるシーリングタイプのソケットで説明することとするので、このソケットと本発明の照明装置用電気的な接続の点は公知技術として説明を省略する。同様に本発明の照明装置では管１ａの配置を主要な特徴とすることから、蛍光管ユニット２内での電気的構成及び回路構成の説明は省略する。
【００２５】
接続体３は、リング状とされ、このリング状の周面に本実施例では等角度で例えば６箇所に、外周側に膨らんだ溝３ａが形成されている。この溝３ａは、円弧両端と円弧中央部のそれぞれの係合凸部２ｃが嵌って係合するように、軸方向で一旦段部３ｂが形成され、さらに軸方向に段部３ｂを経て周方向に平行に位置を異ならせてストッパ部３ｃが形成されている。なお、段部３ｂとストッパ部３ｃの高さ位置は、円弧両端と円弧中央部のそれぞれの係合凸部２ｃの形成箇所によって異なっている。
【００２６】
つまり、蛍光管ユニット２を接続体３に接続するには、図４（ａ）に示すように、ソケット部２ｂの係合凸部２ｃを接続体３の溝３ａに挿入し、一旦段部３ｂに当接するまでソケット部２ｂを挿入した後、図４（ｂ）に示すように、軸回転させて係合凸部２ｃをストッパ部３ｃに移動させ、さらに挿入する。その後、本実施例では接続体３を電源供給用のソケットに対して取り付ける。
【００２７】
このように構成することで、蛍光管ユニット２は軸回転させない限り接続体３から抜けて外れることがなく、安全に使用することが可能となる。ちなみに、この係合凸部２ｃとストッパ部３ｃとの接触でもって電気的な接続を兼ねるように構成してもよい。そのときは、電源供給用のソケットを接続体３のように構成しておけばよい。
【００２８】
反射板Ｒは、その側面を本実施例では上記したように半円弧状とされ、その円弧の両端が天井化粧板と同位置とされ、つまり円弧の中心位置は天井化粧板に埋没した状態となっている。この理由は、反射板Ｒの円弧の両端が天井化粧板から突出した状態になると、この突出した部位の反射板Ｒの裏面側が暗部となるからである。
【００２９】
本発明の照明装置は、本実施例では、図１に示すように、蛍光管ユニット２の山部を反射板Ｒ側に向けた状態で使用する。これによって、まず蛍光管ユニット２においてＶ字状の谷部で集光された光が表面側に明るく照射されるのは上記した通りであると共に、蛍光管１，１の裏面側では、円弧状とされた反射板Ｒで該蛍光管１，１の光を正反射することなく反射する。すなわち、反射板Ｒで反射した光は、蛍光管１，１からの入射方向へは反射しないので、蛍光管１，１で遮られずに表面側へ出射するので、光量のロスを抑制できるのである。
【００３０】
また、本発明の照明装置においては、上記した実施例の他に、反射板Ｒを図５に示すように側面視Ｍ字状となるように２枚用いてもよい。この場合、蛍光管ユニット２は、２枚の反射板Ｒ，Ｒの接合部位に配置し、Ｖ字状の谷部を反射板Ｒ側に向けて使用する。このようにすることで、Ｖ字状の谷部で集光された光が２枚の反射板Ｒ，Ｒのに向けて照射され、反射板Ｒ，Ｒから表面側に反射して照射されるから広範囲に明るい光を照射することが可能となる。
【００３１】
さらに、上記した実施例では、この接続体３の半分に１つの蛍光管ユニット２を接続していたが、接続体３をリング状としているので、図６に示すように、さらに半分の位置にもう１つの蛍光管ユニット２を接続することも可能である。この場合、特に互いの蛍光管ユニット２のＶ字状の山部を突き合わせるようにして接続体３に接続すれば、反射板Ｒを用いない場合は３６０°の照明が可能となる。
【００３２】
また、この蛍光管ユニット２，２の周囲に、２枚の反射板Ｒの円弧の両端部を接続して筒状を形成することで、筒状の開口端から明るい光が照射されるから、スポットライトとして使用することも可能となる。
【００３３】
さらに、上記実施例では、蛍光管１は、一本をＵ字状に形成した蛍光管の一部を接続して１本の蛍光管（見た目４本）としていたが、複数管１ａにおいて充填ガスが流通するように内部を一体空間として接続する構成であれば、これに限らず、蛍光管１として通常の直管のものをＶ字状の片側４本、計８本用いてもよい。このときの本数は少なくとも２本以上であればよいと共に、Ｖ字状の片側は、他方側と対称となる本数でなくてもよく、例えば片側２本、他方側４本といった構成でもよい。また、Ｖ字状の角度は、上記実施例では９０°で説明したが、９０°〜１３５°の範囲で調整すればよい。
【００３４】
上記Ｖ字状の角度を９０°〜１３５°の範囲とする理由は、９０°より小さい角度とすると、Ｖ字状の谷部分の奥の蛍光管の光が谷部分の手前側の蛍光管で阻害され、本発明の照明装置の直下は明るいが表面側に広く明るい光を照射ができない可能性があるからであり、また、１３５°より大きい角度とすると、Ｖ字状の谷部分での集光効果が低下して本発明の照明装置の直下であってもさほど従来より明るくならないからである。
【産業上の利用可能性】
【００３５】
本実施例では住宅の室内照明として天井に設けた照明器具として説明したが、これに限られるものではなく、常に照明を必要とする店舗などで使用することで少ないワット数で明るい照明を得られるから消費電力を極めて有効に抑制することができる。また、従来は水銀灯を必要としていた場所において水銀灯に代えて本発明の照明装置を採用すれば、水銀灯自体の購入コストを抑えることができると共に、短時間で点灯する非常に照度の高い照明が可能となる。
【図面の簡単な説明】
【００３６】
【図１】本発明の照明装置であり、（ａ）は蛍光管の軸方向から見た図、（ｂ）は（ａ）の反対側から見た図である。
【図２】（ａ）（ｂ）は本発明の照明装置における蛍光管ユニットの各方向からの斜視図である。
【図３】本発明の照明装置における接続体であり、（ａ）は斜視図、（ｂ）は（ａ）のＡ−Ａ線断面図である。
【図４】本発明の照明装置において接続体に対して蛍光管ユニットを接続する状況であり、（ａ）は接続開始、（ｂ）は接続完了、を各々示す図である。
【図５】本発明の照明装置の反射板及び蛍光管ユニットの配置の変形例であり、（ａ）は蛍光管の軸方向から見た図、（ｂ）は（ａ）の反対側から見た図である。
【図６】本発明の照明装置の接続体に対する蛍光管ユニットの変形接続例であり、（ａ）は蛍光管の軸方向から見た図、（ｂ）は（ａ）の反対側から見た図である。
【符号の説明】
【００３７】
１  蛍光管
１ａ  管
１ｂ  接続部
２  蛍光管ユニット
２ａ  保持部
２ｂ  ソケット部
２ｃ  係合凸部
３  接続体
３ａ  溝
３ｂ  段部
３ｃ  ストッパ部
Ｒ  反射板
【図１】
2005056750.tif 000003
【図２】
2005056750.tif 000004
【図３】
2005056750.tif 000005
【図４】
2005056750.tif 000006
【図５】
2005056750.tif 000007
【図６】
2005056750.tif 000008